(57)【要約】【課題】  簡単な構成でありながら、スペースの有効活用を行うことができる立体駐輪場を提供することである。【解決手段】  立体駐輪場１０は、設置面２０に取り付けられる側の端部１２Ａを支点として略垂直方向に回動可能な長尺状の回動アーム１２，該回動アーム１２を回動させる回動機構１４，自転車を起立した状態で収納する駐輪ハウス１６，前記回動アーム１２に対して前記駐輪ハウス１６が回動可能となるように吊り下げる吊り下げ具１８により構成される。該吊り下げ具１８を利用することにより、設置面２０に対する回動アーム１２の角度を変えた場合でも、駐輪ハウス１６を略水平状態に保ち、自転車２２が傾いたり倒れたりするのを防止することができる。利用者は、回動アーム１２を水平にした状態で駐輪ハウス１６に自転車２２を収納したのち、回動機構１４により高い位置で吊り下げ駐輪する。【選択図】図１
0003106858.tif 000002
【実用新案登録請求の範囲】
【請求項１】
設置面に取り付けられる側の端部を支点として、略垂直方向に回動可能な長尺の回動アーム，
該回動アームを略垂直方向に回動する回動機構，
起立状態の二輪車を収納する収納手段，
前記回動アームに対して前記収納手段が回動可能となるように吊り下げる吊り下げ手段，
を備えたことを特徴とする立体駐輪場。
【請求項２】
前記回動アームに対して、前記収納手段及び吊り下げ手段を複数設けたことを特徴とする請求項１記載の立体駐輪場。
【請求項３】
前記回動アームを複数備えるとともに、それらの回動アームの長さが異なることを特徴とする請求項１又は２記載の立体駐輪場。
【考案の詳細な説明】
【技術分野】
【０００１】
本考案は、自転車やバイクなどの二輪車を駐車するための立体駐輪場に関するものである。
【背景技術】
【０００２】
従来から、駅前やデパートなど大勢の人が利用するところには、駐車場とともに駐輪場が設けられている。大半は、平面状のスペースに並べて駐輪するため、人が集まりやすいところほど広い駐輪スペースを用意する必要がある。
【考案の開示】
【考案が解決しようとする課題】
【０００３】
しかしながら、大勢の人が利用する場所ほど地価が高く、必要十分なスペースの確保が困難であるのが現状である。このため、満車になった駐輪場に駐輪できない場合、空地や道路などに放置されることが多く、近隣の迷惑になり、その対処や処分に苦慮するという問題がある。また、平面的な駐輪方法であるため、面積利用効率が悪く、自転車の収納台数が限られているという不都合もある。限られたスペースに多数の二輪車を収納するために、立体駐輪場も採用されているが、平面的なスペースを多段化したものであったり、構造が複雑であったりするものがほとんどである。
【０００４】
本考案は、以上の点に着目したもので、その目的は、簡単な構成でありながら、スペースの有効活用を行うことができる立体駐輪場を提供することである。
【課題を解決するための手段】
【０００５】
前記目的を達成するため、本考案は、設置面に取り付けられる側の端部を支点として、略垂直方向に回動可能な長尺の回動アーム，該回動アームを略垂直方向に回動する回動機構，起立状態の二輪車を収納する収納手段，前記回動アームに対して前記収納手段が回動可能となるように吊り下げる吊り下げ手段，を備えたことを特徴とする。
【０００６】
主要な形態の一つは、前記回動アームに対して、前記収納手段及び吊り下げ手段を複数設けたことを特徴とする。他の形態は、前記回動アームを複数備えるとともに、それらの回動アームの長さが異なることを特徴とする。本考案の前記及び他の目的，特徴，利点は、以下の詳細な説明及び貼付図面から明瞭になろう。
【考案の効果】
【０００７】
本考案は、設置面に取り付けられる側の端部を支点として、略垂直方向に回動可能な調尺の回動アームに対して、二輪車を収納する収納手段を回動可能となるように吊り下げることとしたので、簡単な構成でありながら、駐輪スペースの有効活用を行うことができる。
【考案を実施するための最良の形態】
【０００８】
以下、本考案を実施するための最良の形態を、実施例に基づいて詳細に説明する。
【実施例１】
【０００９】
最初に、図１を参照しながら本考案の実施例１を説明する。図１(A)は、本実施例の立体駐輪場に自転車を収納した直後の様子を示す図であり、図１(B)は前記自転車の立体収納中の様子を示す図である。本考案の立体駐輪場１０は、回動アーム１２，回動機構１４，駐輪ハウス１６，吊り下げ具１８により構成されている。前記回動アーム１２は、設置面２０に取り付けられる側の端部１２Ａを支点として、略垂直方向に回動可能な長尺体であって、強度や耐水性に優れた公知の各種の材質により形成されている。前記回動機構１４は、前記回動アーム１２の端部１２Ａ側に設けられており、前記回動アーム１２を略垂直方向に回動するものであって、公知の各種の回動機構，例えば、油圧機構などを利用することができる。また、必要に応じて、設置面２０に対する角度調節が可能な構成としてもよい。
【００１０】
前記駐輪ハウス１６は、自転車２２を起立した状態で収納するものであって、底面には必要に応じて車輪のストッパー機構などが設けられる。また、外側から自転車２２を特定できるように側面を網状にしてもよく、更に、自転車２２の出し入れ口に扉を設けてロック機構を設けるなど防犯性の向上を図るようにしてもよい。前記吊り下げ具１８は、前記回動アーム１２の他方の端部１２Ｂ側に設けられており、該回動アーム１２に対して前記駐輪ハウス１６が回動可能となるように吊り下げるものである。このような吊り下げ具１８を利用することにより、設置面２０に対する回動アーム１２の角度を変えた場合でも、駐輪ハウス１６を略水平状態に保ち、自転車２２が傾いたり倒れたりするのを防止することができる。なお、回動アーム１２に対して駐輪ハウス１６を略水平状態に保つことができるものであれば、どのような機構の吊り下げ具１８を利用するようにしてもよい。
【００１１】
次に、本実施例の作用を説明する。立体駐輪場１０の利用者は、回動機構１４の図示しない操作盤などの操作により、図１(A)に示すように、回動アーム１２を略水平状態にして駐輪ハウス１６を設置面２０に降ろし、該駐輪ハウス１６に自転車２２を収納する。収納したら、前記回動機構１４を駆動し、任意の高さになるように、回動アーム１２を回動させ、図１(B)に示すように、設置面２０から離れた高い位置に吊り下げた状態で収納する。再び自転車２２を利用する場合には、前記回動機構１４の駆動により回動アーム１２を、図１(A)に示すように略水平状態に戻し、駐輪ハウス１６を設置面２０へ降ろして、自転車２２を取り出す。
【００１２】
このように、実施例１によれば、回動アーム１２の端部１２Ａを支点として、該回動アーム１２を略垂直方向に回動可能とするとともに、前記回動アーム１２に対して、自転車２２を収納する駐輪ハウス１６を回動可能となるように吊り下げることとした。このため、簡単な構成でありながら、立体的な駐輪が可能となり、スペースの有効活用を行うことができる。
【実施例２】
【００１３】
次に、図２を参照しながら本考案の実施例２を説明する。上述した実施例では、一つの回動アームに一つの駐輪ハウス１６を設けることとしたが、本実施例は、更に多数の自転車を収納することができる構成としたものである。図２に示すように、本実施例の立体駐輪場３０は、長さの異なる３本の回動アーム３２，３４，３６の先端に、それぞれ一対の駐輪ハウス３８Ａ及び３８Ｂ，４０Ａ及び４０Ｂ，４４Ａ及び４４Ｂが、吊り下げ具３９，４２，４６によって回動可能に吊り下げられている。一方、前記回動アーム３２，３４，３６の他方の端部は、回動機構４８に取り付けられている。該回動機構４８は、それぞれの回動アーム３２，３４，３６ごとの回動操作が可能となっている。本実施例の作用・効果は、基本的には上述した実施例１と同様であるが、一つの回動アームに一対の駐輪ハウスを設け、更に、回動アーム自体を３本設けることとしたので、上述した実施例１よりも更に多数の自転車２２を駐輪することができる。
【００１４】
なお、本考案は、上述した実施例に限定されるものではなく、本考案の要旨を逸脱しない範囲内において種々変更を加え得ることができる。例えば、以下のものも含まれる。
(1)前記実施例における形状，寸法，材質は一例であり、必要に応じて適宜変更してよい。
(2)回動アームの回動機構や、駐輪ハウスの吊り下げ機構も一例であり、同様の効果を奏するものであれば、公知の各種の機構が適用可能である。
(3)回動アームの数や、一つの回動アームに取り付ける駐輪ハウスの数も一例であり、必要に応じて増減してよい。
(4)前記立体駐輪場１０や３０全体を覆ったり、あるいは、屋内に設置したりすることにより、雨水などに曝されるのを防止するようにしてもよい。
(5)前記実施例では、自転車２２を例にあげて説明したが、オートバイなどの自動二輪車や原動機付き自転車に対しても本考案は適用可能である。
(6)本考案の立体駐車場の設置場所としては、駅前やデパート前，パチンコ店前、市役所前など、多数の二輪車利用者が集まる場所が好適な例であるが、他の場所に設置することを妨げるものではない。
【産業上の利用可能性】
【００１５】
本考案によれば、設置面に取り付けられる側の端部を支点として、略垂直方向に回動可能な調尺の回動アームに対して、二輪車を収納する収納手段を回動可能となるように吊り下げることとしたので、立体駐輪場に適用できる。特に、比較的軽量な自転車の駐輪場の用途に好適である。
【図面の簡単な説明】
【００１６】
【図１】本考案の実施例１を示す側面図であり、(A)は収納直後の様子を示す図，(B)は立体収納中の様子を示す図である。
【図２】本考案の実施例２を示す図である。
【符号の説明】
【００１７】
１０：立体駐輪場
１２：回動アーム
１２Ａ，１２Ｂ：端部
１４：回動機構
１６：駐輪ハウス
１８：吊り下げ具
２０：設置面
２２：自転車
３０：立体駐輪場
３２，３４，３６：回動アーム
３８Ａ，３８Ｂ，４０Ａ，４０Ｂ，４４Ａ，４４Ｂ：駐輪ハウス
３９，４２，４６：吊り下げ具
４８：回動機構
【図１】
0003106858.tif 000003
【図２】
0003106858.tif 000004